(57)【要約】【課題】所望の画像を簡便な操作で容易に得ることのできる画像表示装置、画像表示プログラム、画像表示方法及び記録媒体を提供する。【解決手段】撮影した画像を記憶する画像記憶手段（３４）と、前記画像の撮影日時を記憶する撮影日時データベース（３６）と、前記画像を検索するための期間を年、月、日、時間の少なくとも１つで指定する期間指定手段（３２）と、前記指定された期間に撮影された前記画像を検索する画像検索手段（３７）と、前記画像検索手段で検索された画像のサムネイル画像を表示するサムネイル画像表示手段（３１）とを有し、前記画像検索手段は、前記期間指定手段で指定された期間に撮影された画像を前記画像記憶手段に記憶されている画像から検索する画像表示装置である。【選択図】図１１
2007018352.tif 000002
【特許請求の範囲】
【請求項１】
撮影した画像を撮影日時により分類して表示する画像表示装置において、
前記画像を記憶する画像記憶手段と、
前記画像の撮影日時を記憶する撮影日時データベースと、
前記画像を検索するための期間を年、月、日、時間の少なくとも１つで指定する期間指定手段と
前記指定された期間に撮影された前記画像を検索する画像検索手段と
前記画像検索手段で検索された画像のサムネイル画像を表示するサムネイル画像表示手段とを有し、
前記画像検索手段は、
前記期間指定手段でなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、
前記期間指定手段でなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、
前記期間指定手段でなされた期間指定が、年、月、日を指定せずに時間を指定してなされた場合には、撮影された年又は月又は日は異なるが、指定された時間で表された期間に撮影された画像を前記画像記憶手段に記憶されている画像から検索する、
ことを特徴とする画像表示装置。
【請求項２】
前記期間指定手段は、曜日で又は日付で日を指定することを特徴とする請求項１の画像表示装置。
【請求項３】
年又は月のカレンダを表示するカレンダ表示手段と、
前記カレンダの日付を選択する日付選択手段と、
前記日付選択手段で選択された日付と同一の日に撮影された画像のサムネイル画像の一覧を表示する第２のサムネイル画像表示手段と、
を有することを特徴とする請求項２の画像表示装置。
【請求項４】
前記カレンダ表示手段は、
そのカレンダの日付のうち、その日付に撮影された前記画像が無い場合は、前記カレンダの該当する日付エリアの全て又は一部を表示しないことを特徴とする請求項３の画像表示装置。
【請求項５】
月のカレンダについて、表示されるカレンダのサイズに応じて、各日付エリアに表示する前記サムネイル画像の数を算出する算出手段を更に有し、
前記第２のサムネイル画像表示手段は、前記算出された数のサムネイル画像を前記日付エリアに表示することを特徴とする請求項４の画像表示装置。
【請求項６】
撮影した画像を撮影日時により分類して表示する画像表示プログラムにおいて、
前記プログラムはコンピュータに実行させるための、
前記画像を記憶する画像記憶ステップと、
前記画像の撮影日時を記憶する撮影日時記憶ステップと、
前記画像を検索するための期間を年、月、日、時間の少なくとも一つで指定する期間指定ステップと、
前記指定された期間に撮影された前記画像を検索する画像検索ステップと、
前記画像検索ステップで検索された画像のサムネイル画像を表示するサムネイル画像表示ステップとを有し、
前記画像検索ステップは、
前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、
前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、
前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する、
ことを特徴とする画像表示プログラム。
【請求項７】
前記期間指定ステップは、曜日又は日付で日を指定することを特徴とする請求項６の画像表示プログラム。
【請求項８】
年又は月のカレンダを表示するカレンダ表示ステップと、
前記カレンダの日付を選択する日付選択ステップと、
日付選択ステップで選択された日付と同一の日に撮影された画像のサムネイル画像の一覧を表示する第２のサムネイル画像表示ステップと、
を有することを特徴とする請求項７の画像表示プログラム。
【請求項９】
前記カレンダ表示ステップは、
そのカレンダの日付のうち、その日付に撮影された前記画像が無い場合は、前記カレンダの該当する日付エリアの全て又は一部を表示しないこと特徴とする請求項８の画像表示プログラム。
【請求項１０】
月のカレンダについて、表示されるカレンダのサイズに応じて、各日付エリアに表示する前記サムネイル画像の数を算出する算出ステップを更に有し、
前記第２のサムネイル画像表示ステップは、前記算出された数のサムネイル画像を前記日付エリアに表示することを特徴とする請求項９の画像表示プログラム。
【請求項１１】
撮影した画像を撮影日時により分類して表示する画像表示方法において、
前記画像を記憶する画像記憶ステップと、
前記画像の撮影日時を記憶する撮影日時記憶ステップと、
前記画像を検索するための期間を年、月、日、時間の少なくとも一つで指定する期間指定ステップと、
前記指定された期間に撮影された前記画像を検索する画像検索ステップと、
前記画像検索ステップで検索された画像のサムネイル画像を表示するサムネイル画像表示ステップとを有し、
前記画像検索ステップは、
前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、
前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、
前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する、
ことを特徴とする画像表示方法。
【請求項１２】
撮影した画像を撮影日時により分類して表示する画像表示プログラムを記録した記録媒体において、
前記プログラムはコンピュータに実行させるための、
前記画像を記憶する画像記憶ステップと、
前記画像の撮影日時を記憶する撮影日時記憶ステップと、
前記画像を検索するための期間を年、月、日、時間の少なくとも一つで指定する期間指定ステップと、
前記指定された期間に撮影された前記画像を検索する画像検索ステップと、
前記画像検索ステップで検索された画像のサムネイル画像を表示するサムネイル画像表示ステップとを有し、
前記画像検索ステップは、
前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、
前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、
前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する、
ことを特徴とする記録媒体。
【発明の詳細な説明】
【技術分野】
【０００１】
本発明は、所望の画像を簡便な操作で容易に得ることのできる画像表示装置、画像表示プログラム、画像表示方法及び記録媒体に関する。
【背景技術】
【０００２】
従来、所望の画像を検索する際には、検索機能を使用する方法が主であった。例えば、特定の日、特定の時間帯に撮影された画像を検索して表示しようとするときは、その特定の日、特定の時間帯を検索式に入力し、その条件に該当した画像を全て表示していた。しかし、この方法は、単純な条件での検索には向いているが、複数の条件を組み合わせて検索する場合には、複雑な検索式を入力したり、また複数回繰り返して検索するなど、煩雑な検索操作が必要であった。
【０００３】
特許文献１には、カレンダ形式で画像を表示することにより、画像を分類して視認性を良くする方法が開示されている。この方法によれば、画像が日付によって分類して表示されるため、画像の検索が容易になる場合があり得る。
【特許文献１】特開２００４−２１３６３１号公報
【発明の開示】
【発明が解決しようとする課題】
【０００４】
特許文献１に記載の技術では、画像の検索は日付に対応して一覧として表示されるが、ユーザは、表示された画像群の中から所望の画像を探し出す必要がある。特に、検索対象となる画像が大量に存在する場合は、求める画像を探し出すことが大変である。従って、特許文献１に記載の技術は、検索方法としてはまだ改善の余地があると考えられる。
【０００５】
本発明は、かかる事情に鑑みてなされたものであり、所望の画像を簡便な操作で容易に得ることのできる画像表示装置、画像表示プログラム、画像表示方法及び記録媒体を提供することを目的とする。
【課題を解決するための手段】
【０００６】
上記課題を解決するための、本発明に係る請求項１に記載の画像表示装置は、撮影した画像を撮影日時により分類して表示する画像表示装置において、前記画像を記憶する画像記憶手段と、前記画像の撮影日時を記憶する撮影日時データベースと、前記画像を検索するための期間を年、月、日、時間の少なくとも１つで指定する期間指定手段と、前記指定された期間に撮影された前記画像を検索する画像検索手段と、前記画像検索手段で検索された画像のサムネイル画像を表示するサムネイル画像表示手段とを有し、前記画像検索手段は、前記期間指定手段でなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、前記期間指定手段でなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、  前記期間指定手段でなされた期間指定が、年、月、日を指定せずに時間を指定してなされた場合には、撮影された年又は月又は日は異なるが、指定された時間で表された期間に撮影された画像を前記画像記憶手段に記憶されている画像から検索する。
【０００７】
また、本発明に係る請求項２に記載の画像表示装置は、上記記載の発明である画像表示装置において、前記期間指定手段は、曜日で又は日付で日を指定する。
【０００８】
また、本発明に係る請求項３に記載の画像表示装置は、上記記載の発明である画像表示装置において、年又は月のカレンダを表示するカレンダ表示手段と、前記カレンダの日付を選択する日付選択手段と、前記日付選択手段で選択された日付と同一の日に撮影された画像のサムネイル画像の一覧を表示する第２のサムネイル画像表示手段とを有する。
【０００９】
また、本発明に係る請求項４に記載の画像表示装置は、上記記載の発明である画像表示装置において、前記カレンダ表示手段は、そのカレンダの日付のうち、その日付に撮影された前記画像が無い場合は、前記カレンダの該当する日付エリアの全て又は一部を表示しない。
【００１０】
また、本発明に係る請求項５に記載の画像表示装置は、上記記載の発明である画像表示装置において、月のカレンダについて、表示されるカレンダのサイズに応じて、各日付エリアに表示する前記サムネイル画像の数を算出する算出手段を更に有し、前記第２のサムネイル画像表示手段は、前記算出された数のサムネイル画像を前記日付エリアに表示する。
【００１１】
また、本発明に係る請求項６に記載の画像表示プログラムは、撮影した画像を撮影日時により分類して表示する画像表示プログラムにおいて、前記プログラムはコンピュータに実行させるための、前記画像を記憶する画像記憶ステップと、前記画像の撮影日時を記憶する撮影日時記憶ステップと、前記画像を検索するための期間を年、月、日、時間の少なくとも一つで指定する期間指定ステップと、前記指定された期間に撮影された前記画像を検索する画像検索ステップと、前記画像検索ステップで検索された画像のサムネイル画像を表示するサムネイル画像表示ステップとを有し、前記画像検索ステップは、前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する。
【００１２】
また、本発明に係る請求項７に記載の画像表示プログラムは、上記記載の発明である画像表示プログラムにおいて、前記期間指定ステップは、曜日又は日付で日を指定する。
【００１３】
また、本発明に係る請求項８に記載の画像表示プログラムは、上記記載の発明である画像表示プログラムにおいて、年又は月のカレンダを表示するカレンダ表示ステップと、前記カレンダの日付を選択する日付選択ステップと、日付選択ステップで選択された日付と同一の日に撮影された画像のサムネイル画像の一覧を表示する第２のサムネイル画像表示ステップとを有する。
【００１４】
また、本発明に係る請求項９に記載の画像表示プログラムは、上記記載の発明である画像表示プログラムにおいて、前記カレンダ表示ステップは、そのカレンダの日付のうち、その日付に撮影された前記画像が無い場合は、前記カレンダの該当する日付エリアの全て又は一部を表示しない。
【００１５】
また、本発明に係る請求項１０に記載の画像表示プログラムは、上記記載の発明である画像表示プログラムにおいて、月のカレンダについて、表示されるカレンダのサイズに応じて、各日付エリアに表示する前記サムネイル画像の数を算出する算出ステップを更に有し、前記第２のサムネイル画像表示ステップは、前記算出された数のサムネイル画像を前記日付エリアに表示する。
【００１６】
また、本発明に係る請求項１１に記載の画像表示方法は、撮影した画像を撮影日時により分類して表示する画像表示方法において、前記画像を記憶する画像記憶ステップと、前記画像の撮影日時を記憶する撮影日時記憶ステップと、前記画像を検索するための期間を年、月、日、時間の少なくとも一つで指定する期間指定ステップと、前記指定された期間に撮影された前記画像を検索する画像検索ステップと、前記画像検索ステップで検索された画像のサムネイル画像を表示するサムネイル画像表示ステップとを有し、前記画像検索ステップは、前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する。
【００１７】
また、本発明に係る請求項１２に記載の記録媒体は、撮影した画像を撮影日時により分類して表示する画像表示プログラムを記録した記録媒体において、前記プログラムはコンピュータに実行させるための、前記画像を記憶する画像記憶ステップと、前記画像の撮影日時を記憶する撮影日時記憶ステップと、前記画像を検索するための期間を年、月、日、時間の少なくとも一つで指定する期間指定ステップと、前記指定された期間に撮影された前記画像を検索する画像検索ステップと、前記画像検索ステップで検索された画像のサムネイル画像を表示するサムネイル画像表示ステップとを有し、前記画像検索ステップは、前記期間指定ステップでなされた期間指定が、年を指定せずに月、日、時間の少なくとも１つを指定してなされた場合には、撮影された年は異なるが、指定された月又は日又は時間で表された期間に撮影された画像を前記画像記憶手段に記憶されている画像から検索し、前記期間指定ステップでなされた期間指定が、年、月を指定せずに日、時間の少なくとも１つを指定してなされた場合には、撮影された年又は月は異なるが、指定された日又は時間で表された期間に撮影された画像を前記画像記憶手段に記憶されている画像から検索し、前記期間指定ステップでなされた期間指定が、年、月、日を指定せずに時間を指定してなされた場合には、撮影された年又は月又は日は異なるが、指定された時間で表された期間に撮影された画像を前記画像記憶手段に記憶されている画像から検索する。
【発明の効果】
【００１８】
本発明によれば、所望の画像を簡便な操作で容易に得ることができる。
【発明を実施するための最良の形態】
【００１９】
［第１の実施の形態］
本発明の実施の形態に係る画像表示方法では、画像表示装置の表示部に表示される画像表示画面に基づいて、ユーザが画像の検索操作を実行する。
【００２０】
図１は、本発明の第１の実施の形態の画像表示方法による画像表示画面の構成を示す図である。  
画像表示画面１には、表示モード切替エリア２、絞込み指定エリア３、表示エリア４及び終了ボタン５が設けられている。  
表示モード切替エリア２には、画像を分類して表示する態様（表示モード）を指定するモジュールが表示される。絞込み指定エリア３には、検索条件を絞り込んだ設定を行うためのモジュールが表示される。表示エリア４には、表示モードに対応した画像、検索された結果画像などが表示される。終了ボタン５は、画像表示画面１を終了させるための操作ボタンである。
【００２１】
図２は、表示モード切替エリア２に表示されるモジュールを示す図である。  
表示モード切替エリア２には、モード切替ボタン１０、年月選択モジュール１１及び適用ボタン１２が設けられている。  
モード切替ボタン１０には、「サムネイル」ボタン、「年」ボタン、「月」ボタンが備えられ、それぞれのボタンを操作することにより、「サムネイル表示モード」、「年表示モード」、「月表示モード」を選択することができる。これらの表示モードは、表示エリア４に画像を表示する態様である。そして、これらの表示モードに対応して、年月選択モジュール１１の表示も切替えられる。
【００２２】
図２の（１）は、サムネイル表示モードにおけるモジュールを示している。サムネイル表示モードは、ユーザが指定した年月を撮影日付にもつ画像を検索して、検索画像のサムネイル画像を表示エリア４に表示するモードである。  
ユーザは、年月選択モジュール１１から、所望の年、月を選択することができる。年月選択モジュール１１の下欄にある「ＡＬＬ」を操作することで、年、月を検索条件から除外することができる。この年月選択モジュール１１を操作すると、年月選択モジュール１１の選択条件に従った画像の検索が開始され、検索された画像のサムネイル画像の一覧が表示エリア４に表示される。そして、適用ボタン１２を操作すると、検索された画像が以降の検索の対象画像として保存される。
【００２３】
図２の（２）は、年表示モードにおけるモジュールを示している。年表示モードは、ユーザが指定した年を撮影日付にもつ画像を検索して、その画像の有無をカレンダ形式で表示エリア４に表示するモードである。  
ユーザは、年月選択モジュール１１から、所望の年を選択することができる。この年月選択モジュール１１を操作すると、年月選択モジュール１１の選択条件に従った画像の検索が開始され、検索された画像がカレンダ形式で表示エリア４に表示される。そして、適用ボタン１２を操作すると、検索された画像が以降の検索の対象画像として保存される。
【００２４】
図２の（３）は、月表示モードにおけるモジュールを示している。月表示モードは、ユーザが指定した年月を撮影日付にもつ画像を検索して、その検索画像のサムネイル画像をその月のカレンダにまとめて、表示エリア４に表示するモードである。  
ユーザは、年月選択モジュール１１から、所望の年、月を選択することができる。この年月選択モジュール１１を操作すると、年月選択モジュール１１の選択条件に従った画像の検索が開始され、検索された画像のサムネイル画像がその月のカレンダにまとめられて、表示エリア４に表示される。そして、適用ボタン１２を操作すると、検索された画像が以降の検索の対象画像として保存される。
【００２５】
図３は、絞込み指定エリア３に表示されるモジュールを示す図である。  
絞込み指定エリア３には、特定日指定エリア１５、曜日指定エリア１６、祝日指定エリア１７、時間指定エリア１８、適用ボタン１９及び絞込み解除ボタン２０が設けられている。  
特定日指定エリア１５には、日付を特定するための期間を入力することができる。この期間に撮影された画像が、検索対象画像の中から検索される。  
曜日指定エリア１６には、曜日を特定して入力することができる。この曜日に撮影された画像が、検索対象画像の中から検索される。  
祝日指定エリア１７には、祝日を指定することができる。この祝日指定エリア１７で祝日を指定すると、祝日に撮影された画像が、検索対象画像の中から検索される。  
時間指定エリア１８には、時間帯を指定することができる。この時間指定エリア１８で時間帯を指定すると、その時間帯に撮影された画像が、検索対象画像の中から検索される。  
適用ボタン１９を操作すると、これら特定日指定エリア１５、曜日指定エリア１６、祝日指定エリア１７、時間指定エリア１８に入力された検索条件を充たす画像が、検索対象画像の中から検索される。絞込み解除ボタン２０を操作すると、絞込み指定エリア３の指定状態を解除することができる。
【００２６】
続いて、上述の各表示モードと各検索条件の下で検索された画像を表示する方法について説明する。
【００２７】
図４の（１）は、サムネイル表示モードを指定して、年、月の指定を「ＡＬＬ」としたときの、表示エリア４の表示状態を示している。表示エリア４には、サムネイル画像と共に、画像のＩＤと撮影日時とが表示されている。  
図４の（２）は、特定日指定エリア１５に３月２日を指定して、画像を絞り込んだときの、表示エリア４の表示状態を示している。
【００２８】
図５の（１）は、別の画像群に対して、サムネイル表示モードを指定して、年、月の指定を「ＡＬＬ」としたときの、表示エリア４の表示状態を示している。表示エリア４には、サムネイル画像と共に、画像のＩＤと撮影日時とが表示されている。  
図５の（２）は、時間指定エリア１８に９：００〜１１：００を指定して、画像を絞り込んだときの、表示エリア４の表示状態を示している。
【００２９】
図６は、年表示モードで年を指定したときの表示エリア４の表示状態を示している。  
年月選択モジュール１１で選択した年に対応したカレンダが表示エリア４に表示され、その年に撮影された画像がある場合には、その撮影日時に該当するカレンダの日付が色を変えて表示されている。
【００３０】
図７は、月表示モードで年月を指定したときの表示エリア４の表示状態を示している。  
年月選択モジュール１１で選択した年月に対応した月のカレンダが表示エリア４に表示され、その月に撮影された画像がある場合には、その撮影日時に該当するカレンダの日付の位置にサムネイル画像が表示されている。なお、その日に撮影した画像が複数存在するときは、代表画像のサムネイル画像が表示される。ここで、代表画像は、種々の基準で選択することができる。例えば、その日の最初に撮影された画像、ランダムに選択された画像、その日の最後に撮影された画像などを選定することができる。
【００３１】
図８は、月表示モードで年月を指定したときのバリエーションに係る表示エリア４の表示状態を示している。  
年月選択モジュール１１で選択した年月に対応した月のカレンダが表示エリア４に表示され、その月に撮影された画像がある場合には、その撮影日時に該当するカレンダの日付の位置にサムネイル画像が表示されている。その際、行又は列にサムネイル画像が存在しない場合は、その行又は列は表示されない。図８では、金曜日の列、３０日からの行にはサムネイル画像が存在しないため、表示がされていない。
【００３２】
図９は、月表示モードで年月を指定し、曜日指定で土日を指定して絞り込んだときの表示エリアの表示を示す図である。  
日曜と土曜の列が表示され、月曜〜金曜の列は表示されていない。この結果、サムネイル画像を表示できるスペースが広がり、複数のサムネイル画像が表示されている。
【００３３】
次に、表示エリア４内において、ユーザが選択操作を行った場合の動作について説明する。  
ユーザが表示エリア４内のサムネイル画像を選択したとき、あるいは、サムネイル画像が存在するカレンダの日付を選択したときは、図１０に示す、選択画像表示画面２５が表示される。  
選択画像表示画面２５は、サムネイル表示エリア２６、単一画像表示エリア２７及び閉じるボタン２８で構成されている。そして、サムネイル表示エリア２６には、選択したサムネイル画像が表示され、単一画像表示エリア２７には、そのサムネイル画像の主画像が表示されている。従って、ユーザは、選択したサムネイル画像が所望の画像であるかどうかを確認することができる。そして、閉じるボタン２８を操作すると選択画像表示画面２５が消去する。
【００３４】
続いて、上述の画像表示方法を実現するための画像表示装置の構成と、その主な処理手順について説明する。
【００３５】
図１１は、画像表示装置３０の構成を示す図である。画像表示装置３０は、表示部３１、操作部３２、通信部３３、画像データベース（ＤＢ）３４、一時メモリ３５、画像管理データベース（ＤＢ）３６、処理部３７及びカレンダデータベース（ＤＢ）３８を備えている。
【００３６】
表示部３１は、画像表示画面を表示するＣＲＴまたはＴＦＴ液晶ディスプレイである。操作部３２は、ユーザからの操作指示入力を受取るためのキーボード、マウス等の入力デバイスである。  
通信部３３は、外部装置（不図示）との間で画像フアイル等の情報を通信により授受するためのインターフェースである。画像ＤＢ３４は、画像データを記憶する。一時メモリ３５は、画像表示処理に必要な情報を一時的に格納するバッファメモリである。画像管理ＤＢ３６は、画像管理情報を記憶する。処理部３７は、画像表示装置３０の動作を統括的に制御する。カレンダＤＢ３８は、曜日、祝日などカレンダに関する情報を記録する。  
なお、本実施の形態では、画像表示装置３０は、パーソナルコンピュータ（ＰＣ）で構成しているが、この形態に限定されるものではなく、例えば、デジタルカメラに上述の各機能を搭載して構成しても良い。
【００３７】
次に、画像管理情報について説明する。  
図１２は、画像管理情報を記憶する画像管理ＤＢの構成を示す図である。  
画像管理情報には、「ＩＤ」、「ファイル名」、「撮影日時」、「曜日」、「祝日コード」、「パス」が記載されている。  
ここで、「祝日コード」は撮影日時が祝日に当たるか（ＴＲＵＥ）、当たらないか（ＦＡＬＳＥ）、祝日ならば、その種類（国別、振替休日、私的な記念日など）を表している。  
「パス」は、画像が保存されている画像ＤＢ内のアドレスを表している。  
「曜日」、「祝日コード」は、例えば、外部装置から画像を通信部３３を介して取り込む際に、その画像に付随して取り込まれる「撮影日時」に基づいて、処理部３７がカレンダＤＢ３８を参照して作成する。
【００３８】
次に、上述の画像表示方法を実現するための画像表示処理の概略の手順を図１３乃至図２１を参照しつつ説明する。なお、以下に説明する処理は、画像表示処理機能の内主な機能に関する処理である。従って、以下の説明に記載されていない機能であっても、図１乃至図１２の説明に記載された機能は本画像表示処理機能に含まれる。
【００３９】
画像表示装置３０が起動すると、図１３のステップＳ０１において、処理部３７は、初期化処理（図１５）を実行する。  
図１５のステップＴ０１において、処理部３７は、表示モードをサムネイル表示モードとする。ステップＴ０２〜Ｔ０３において、表示モード切替エリア２の年月選択モジュール１１で、年、月の選択をそれぞれ「ＡＬＬ」を選択した状態に設定する。そして、ステップＴ０４において、表示モード、年選択、月選択の選択状態を一時メモリ３５に保存する。ステップＴ０５において、画像ＤＢ３４に記憶されている全ての画像を表示対象画像とする。
【００４０】
図１３に戻り、ステップＳ０２において、画像表示画面１を表示し、表示エリア４に表示対象画像のサムネイル画像を表示する。そして、ユーザの次の操作入力を待機する。
【００４１】
ユーザが表示モード切替エリア２内の、モード切替ボタン１０を操作したとき、または年月選択モジュール１１を操作したときは、ステップＳ０３に示す表示モード切替エリア内処理（図１６）を実行する。
【００４２】
図１６のステップＴ１０において、ユーザが切替ボタン１０を操作して表示モードを切替えたことを検出すると、ステップＴ１１において、一時メモリ３５から年月選択モジュール１１での選択年月を取り出す。そして、ステップＴ１２において選択年、選択月の少なくとも１つが「ＡＬＬ」か、どうかを調べる。  
ステップＴ１２でＹｅｓの場合、即ち、選択年、選択月の少なくとも１つが「ＡＬＬ」であった場合は、切替え前はサムネイルモードであって、年、月の指定がされていないため、ステップＴ１３において、システムから今日の年月を取得して、年月選択モジュール１１の年月として設定する。
【００４３】
次に、ステップＴ１４において、ユーザによって選択された表示モードを調べる。  
選択された表示モードがサムネイル表示モード又は月表示モードであったときは、ステップＴ１５において、年選択、月選択で選択されている年月をそのまま選択状態とする。一方、選択された表示モードが年表示モードであったときは、ステップＴ１６において、年選択で選択されている年をそのまま選択状態とする。  
ステップＴ１８において、表示対象画像の内、選択された年月を撮影年月にもつ画像を検索し、該当する画像を表示対象画像とする。
【００４４】
図１６のステップＴ１７において、ユーザが年月選択モジュール１１を操作して年月の選択を切替えたことを検出すると、ステップＴ１８において、表示対象画像の内、選択された年月を撮影年月にもつ画像を検索し、該当する画像を表示対象画像とする。  
そして、図１３に戻り、ユーザの次の操作入力を待機する。
【００４５】
図１３のステップＳ０４において、ユーザが表示モード切り替えエリア２の適用ボタン１２を押したときは、ステップＳ０５において、表示対象画像、表示モード、選択年月を一時メモリ３５に記憶する。そして、ステップＳ０６に示す、表示エリア表示切替処理（図１７）を実行する。  
図１７のステップＴ２１において、処理部３７は、一時メモリ３５から表示モードを取得し、その表示モードを調べる。  
表示モードがサムネイル表示モードであったときは、ステップＴ２３において、一時メモリ３５の表示対象画像についてサムネイル画像を生成して、表示エリア４にそのサムネイル画像を全て表示する。  
表示モードが年表示モードであったときは、ステップＴ２４において、選択された年に対応するカレンダを表示エリア４に表示して、表示対象画像の撮影日付と一致するカレンダの日付領域にマークを付す、あるいは当該日付領域を色替えして表示する。  
表示モードが月表示モードであったときは、ステップＴ２５において、選択された年月に対応する月のカレンダについて、表示対象画像の撮影日付と一致するカレンダの日付領域をサムネイル表示領域として設定する。そして、ステップＴ２６に示すカレンダ不要領域間引き表示処理（図１８）を実行する。
【００４６】
図１８のステップＰ０１において、一時メモリ３５から絞込み指定エリア３の操作状態を読み込む。ステップＰ０２でＮｏの場合、即ち、絞込み指定エリア３を操作していないときは、このカレンダ不要領域間引き表示処理を終了する。ステップＰ０３でＹｅｓの場合、即ち、絞込み条件が時間帯のみの場合は、このカレンダ不要領域間引き表示処理を終了する。  
絞込み指定エリア３を操作しており、絞込み条件が時間帯のみでない場合は、不要領域の間引き処理を実行する。  
ステップＰ０４〜Ｐ０５において、カレンダ内でサムネイルが表示されている領域の存在する行をカウントし、カレンダ全体の高さをそのカウントした行数で割って、一行の高さを求める。ステップＰ０６〜Ｐ０７において、カレンダ内でサムネイルが表示されている領域の存在する列をカウントし、カレンダ全体の幅をそのカウントした列数で割って、一列の幅を求める。そして、ステップＰ０８〜Ｐ０９において、算出したカレンダの一列の幅と、一行の高さを元にカレンダを生成し、生成したカレンダのサムネイル表示領域に表示可能な枚数のサムネイルを表示する。
【００４７】
図１３に戻り、ステップＳ０７において、表示エリア４の表示内容を更新し、ユーザの次の操作入力を待機する。
【００４８】
図１３のステップＳ１０において、ユーザが絞り込み指定エリア３で絞り込み条件を設定して適用ボタン１９を押したときは、ステップＳ１１において、処理部３７は、絞込み条件と、現在絞り込み中であることを表す絞込み状態フラグを一時メモリ３５に記録する。そして、ステップＳ１２に示す絞込み対象画像の検索処理（図１９）を実行する。
【００４９】
図１９のステップＴ３０〜Ｔ３１において、処理部３７は、一時メモリ３５から絞り込み条件を取得し、表示対象画像全てを検索対象画像とする。  
ステップＴ３２でＹｅｓの場合、即ち、絞込みの時間帯を指定しているときは、ステップＴ３３において、検索対象画像から指定時間の画像を検索し、検索結果の画像を新たな検索対象画像とする。ステップＴ３４でＹｅｓの場合、即ち、絞込みの曜日を指定しているときは、ステップＴ３５において、検索対象画像から指定曜日の画像を検索し、検索結果の画像を新たな検索対象画像とする。ステップＴ３６でＹｅｓの場合、即ち、絞込みの日を指定しているときは、ステップＴ３７において、検索対象画像から指定日の画像を検索し、検索結果の画像を新たな検索対象画像とする。ステップＴ３８でＹｅｓの場合、即ち、祝日を指定しているときは、ステップＴ３９において、検索対象画像から祝日の画像を検索し、検索結果の画像を新たな検索対象画像とする。そして、検索結果を表示対象画像として、一時メモリ３５に記録する。
【００５０】
図１３に戻り、ステップＳ０６の表示エリア表示切替処理（図１７）を実行する。この表示エリア表示切替処理は、既に説明しているためその詳細の説明は省略する。そしてステップＳ０７において、表示エリア４の表示内容を更新し、ユーザの次の操作入力を待機する。
【００５１】
図１４のステップＳ１５において、絞込み指定エリア３の絞込み解除ボタン２０が押されたことを検知したときは、ステップＳ１６〜Ｓ１７において、絞込みが解除されたとして、絞込み状態フラグのＯＮを解除して、絞込み指定エリア３の指定状態をクリアする。そして、図１３に戻り、ユーザの次の操作入力を待機する。
【００５２】
ユーザが表示エリア４内のサムネイル画像などを選択したときは、図１４のステップＳ２０に示す表示エリア内処理（図２０）を実行する。
【００５３】
図２０のステップＴ４５において、表示モードを調べる。  
表示モードがサムネイル表示モードの場合は、ステップＴ４６において、表示エリア４内でサムネイル画像が選択されたことを検知して、ステップＴ４７において、選択されたサムネイル画像を選択画像として一時メモリに記録する。  
表示モードが年表示モードの場合は、ステップＴ４８において、表示エリア４内でマークされた任意の日が選択されたことを検知して、ステップＴ５０において、表示対象画像から選択された日の画像を検索し、検索結果を選択画像群として一時メモリに記録する。  
表示モードが月表示モードの場合は、ステップＴ４９において、表示エリア４内で代表サムネイルが存在する任意の日が選択されたことを検知して、ステップＴ５０において、表示対象画像から選択された日の画像を検索し、検索結果を選択画像群として一時メモリに記録する。
【００５４】
次に、ステップＴ５５において、選択画像表示画面２５のウインドウを開き、ステップＴ５６において、サムネイル表示エリア２６に選択画像のサムネイルを表示し、ステップＴ５７において、単一画像表示エリア２７に選択画像又は選択画像群の代表画像の主画像を表示する。そして、ステップＴ５８に示す選択画像表示画面内処理（図２１）を実行する。  
ユーザがサムネイル表示エリア内の任意のサムネイルを選択すると、図２１のステップＰ２０において、サムネイル表示エリア内の任意のサムネイルが選択されたことを検知して、ステップＰ２１において、選択されたサムネイルの主画像を単一画像表示エリア２７に表示する。  
ユーザが閉じるボタン２８を押すと、ステップＰ２２において、閉じるボタンを検出して、選択画像表示画面２５を消去して、図１３に戻り、ユーザの次の操作を待機する。
【００５５】
ユーザが終了ボタン５を操作すると、図１４のステップＳ２１において、終了ボタンの押下を検出して、ステップＳ２２において、画像表示画面１を削除して、画像表示処理を終了する。
【００５６】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５７】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５９】
【図１】本発明の第１の実施の形態の画像表示方法による画像表示画面の構成を示す図。
【図２】表示モード切替エリアに表示されるモジュールを示す図。
【図３】絞込み指定エリアに表示されるモジュールを示す図。
【図４】検索された画像を表示する方法を説明する図。
【図５】検索された画像を表示する方法を説明する図。
【図６】年表示モードで年を指定したときの表示エリアの表示状態を示す図。
【図７】月表示モードで年月を指定したときの表示エリアの表示状態を示す図。
【図８】月表示モードで年月を指定したときのバリエーションに係る表示エリアの表示状態を示す図。
【図９】月表示モードで年月を指定し、曜日指定で土日を指定して絞り込んだときの表示エリアの表示を示す図。
【図１０】選択画像表示画面を示す図。
【図１１】画像表示装置の構成を示す図。
【図１２】画像管理ＤＢの構成を示す図。
【図１３】画像表示処理の概略の手順を示すフロー図。
【図１４】画像表示処理の概略の手順を示すフロー図。
【図１５】初期化処理の概略の手順を示すフロー図。
【図１６】表示モード切替エリア内処理の概略の手順を示すフロー図。
【図１７】表示エリア表示切替処理の概略の手順を示すフロー図。
【図１８】カレンダ不要領域間引き表示処理の概略の手順を示すフロー図。
【図１９】絞込み対象画像の検索処理の概略の手順を示すフロー図。
【図２０】表示エリア内処理の概略の手順を示すフロー図。
【図２１】選択画像表示画面内処理の概略の手順を示すフロー図。
【符号の説明】
【００６０】
１…画像表示画面、２…表示モード切替エリア、３…絞込み指定エリア、４…表示エリア、１０…モード切替ボタン、１１…年月選択モジュール、１５…特定日指定エリア、１６…曜日指定エリア、１７…祝日指定エリア、１８…時間指定エリア、２５…選択画像表示画面、２７…単一画像表示エリア、３０…画像表示装置、３１…表示部、３２…操作部、３３…通信部、３４…画像ＤＢ、３５…一時メモリ、３６…画像管理ＤＢ、３７…処理部、３８…カレンダＤＢ。
【図１】
2007018352.tif 000003
【図２】
2007018352.tif 000004
【図３】
2007018352.tif 000005
【図４】
2007018352.tif 000006
【図５】
2007018352.tif 000007
【図６】
2007018352.tif 000008
【図７】
2007018352.tif 000009
【図８】
2007018352.tif 000010
【図９】
2007018352.tif 000011
【図１０】
2007018352.tif 000012
【図１１】
2007018352.tif 000013
【図１２】
2007018352.tif 000014
【図１３】
2007018352.tif 000015
【図１４】
2007018352.tif 000016
【図１５】
2007018352.tif 000017
【図１６】
2007018352.tif 000018
【図１７】
2007018352.tif 000019
【図１８】
2007018352.tif 000020
【図１９】
2007018352.tif 000021
【図２０】
2007018352.tif 000022
【図２１】
2007018352.tif 000023